(57)【要約】【課題】  垂木や柱の設置誤差に伴う隙間の問題を解消し、効率的な装着と断熱性能を保証する。【解決手段】  発泡樹脂板１１、１２を用いる断熱パネル１０であって、表面と裏面に肉薄のアルミシート２１、２２を配し、当該アルミシートの左右端縁を、発泡樹脂板の左右端縁から外方に突出可能とする。突出可能な部分（補助代４０）を設けることによって、垂木２８（または柱）との間に隙間が生じたときでもアルミシート２１、２２の補助代４０を広げて垂木２８に掛け渡し、隙間による断熱効果の低下を防止することが出来る。隙間の有無に関わらず垂木にアルミシートを展開して掛け渡すことによって固定作業も容易となる。【選択図】    図１
2007107238.tif 000002
【特許請求の範囲】
【請求項１】
発泡樹脂板を用いる断熱パネルであって、
表面と裏面に肉薄のアルミシートを配し、
当該アルミシートの左右端縁は、発泡樹脂板の左右端縁から外方に突出可能とすることを特徴とする断熱パネル。
【請求項２】
二以上の発泡樹脂板を積層する断熱パネルであって、積層部に肉薄のアルミシートを配し、当該アルミシートの左右端縁を、発泡樹脂板の左右端縁から外方に突出可能とすることを特徴とする請求項１記載の断熱パネル。
【請求項３】
発泡樹脂板の左右端縁から外方に突出可能とするアルミシートは、突出させた部分を折り畳んであることを特徴とする請求項１または請求項２記載の断熱パネル。
【発明の詳細な説明】
【技術分野】
【０００１】
本発明は、発泡樹脂を用いた建築用の断熱パネルに関する。
【背景技術】
【０００２】
建築用断熱材には、従来から発泡樹脂を用いたものが多用される。発泡樹脂は、内部に微細な空隙を備えるため断熱性に優れる。
【０００３】
しかしながら、直射日光や厳しい温度条件に晒される発泡樹脂系の断熱材は、必ずしも完全な断熱機能を営むわけではない。材料自体の熱伝導率の違いや、内部の微細空隙を介した熱伝導によって、断熱の効果は変動する。
【０００４】
このため、特許文献１の発明では、断熱材の表面または裏面に紙質層とアルミニウム層とを設けることが提案されている。紙質層は防湿効果を営み、アルミニウム層は熱（遠赤外線）の反射機能を営む。
【特許文献１】特開２００３−０５６０９０
【発明の開示】
【発明が解決しようとする課題】
【０００５】
問題は、装着時に発生する隙間である。
【０００６】
発泡樹脂系の断熱パネルは、屋根の垂木や壁を構成する柱の間に装着するが、ここに隙間が生じると断熱効果は著しく低下する。
【０００７】
また改善すべき余地として、装着の効率がある。垂木や柱の間に装着する断熱パネルは、垂木や柱が設計通りであるときは隙間なく装着できる。しかし、これらに寸法誤差があると隙間を埋める充填作業の煩わしさが起きる。
【０００８】
そこで、本発明の目的は、垂木や柱の設置誤差に伴う隙間の問題を解消し、効率的な装着と断熱性能を保証することにある。
【課題を解決するための手段】
【０００９】
前記目的を達成するため、請求項１に係る断熱パネルは、発泡樹脂板を用いる断熱パネルであって、表面と裏面に肉薄のアルミシートを配し、当該アルミシートの左右端縁を、発泡樹脂板の左右端縁から外方に突出可能とすることを特徴とする。
【００１０】
表面と裏面に配する肉薄のアルミシートによって、一定以上の断熱効果は得られる。このアルミシートの左右端縁を、発泡樹脂板の左右端縁から外方に突出可能としておけば、垂木や柱との間に隙間が生じたときでもアルミシートの補助代を広げて垂木または柱に掛け渡し、隙間による断熱効果の低下を防止することが可能となる。また、隙間の有無に関わらず垂木や柱にアルミシートの補助代を展開して掛け渡すことによって、固定作業も容易となる。
【００１１】
請求項２のように、発泡樹脂板は、二以上を積層する場合がある。発泡樹脂板を積層するのは、積層部に熱の吸収材または反射材、例えば肉薄のアルミシートや包装資材等に用いられるエア緩衝材を挟み込んで、断熱効果をさらに高めるためである。
【００１２】
この場合、積層部に肉薄のアルミシートを配し、当該アルミシートの左右端縁を、発泡樹脂板の左右端縁から外方に突出可能とする場合がある。断熱パネルの中間において、隙間を埋め、熱の移動を遮断するためである。
【００１３】
請求項３のように、発泡樹脂板の左右端縁から外方に突出可能とするアルミシートは、突出可能な部分（補助代）を折り畳み成形する場合がある。折り畳み成形しておけば、保管時や搬送時に邪魔にならないし、必要に応じて補助代を展開すればよいからである。
【発明の効果】
【００１４】
本発明に係る断熱パネルによれば、垂木や柱の誤差に伴う隙間の問題を解消し、効率的な装着作業と断熱性能を得ることが出来る。
【発明を実施するための最良の形態】
【００１５】
図１は、本発明に係る断熱パネルの実施形態を例示するものである。この断熱パネル１０は、二枚の発泡樹脂板１１、１２を積層してなり、断熱パネル１０の表面と裏面にアルミシート２１、２２を例えば貼着して配する一方、発泡樹脂板１１、１２の積層箇所（接合面）に、エア緩衝材３０を挟み込んである。また、エア緩衝材３０の表面と裏面に、アルミシート３１、３２を例えば貼着の手段によって配してある。
【００１６】
アルミシート２１、２２、３１、３２は、発泡樹脂板１１、１２の外側に突出可能な補助代（ほじょしろ）４０をもっており、この補助代４０は、例えば、収納展開可能に折り畳んである。折り畳みの回数は、例えば１〜２回（二枚折り又は三枚折り）でよい。収納または展開が容易に出来ればよく、折り畳みの回数は少ない方が製造上も有利である。
【００１７】
かかる構成によれば、断熱パネル１０の表面と裏面に配したアルミシート２１、２２によって、太陽光線に含まれる遠赤外線（熱）や紫外線を反射して発泡樹脂板１１、１２への熱の侵入を極力排除し、発泡樹脂板１１、１２の積層箇所に挟み込んであるエア緩衝材３０と、その表裏面に配設してあるアルミシート３１、３２によって、発泡樹脂板１１、１２の内部における熱（遠赤外線）の自由な移動を遮断する。
【００１８】
断熱パネル１０の表面と裏面に配したアルミシート２１、２２によっても防ぎきれない熱や紫外線は、発泡樹脂板１１、１２の内部のアルミシート３１、３２によって遮蔽でき、断熱パネル１０の外側から与えられる遠赤外線や紫外線の影響を断熱パネル１０の内側に伝えず、断熱パネル１０の内側から与えられる遠赤外線や紫外線の影響を断熱パネル１０の外側に伝えない優れた性能を得るわけである。
【００１９】
一方、断熱パネル１０を装着する垂木や柱との間に隙間が生じた場合でも、図２に示すように、アルミシート２１、２２を展開し、これを例えば垂木２８に掛け渡すことによって、垂木２８と断熱パネル１０との間に生ずる隙間Ｓの影響を解消できる。このため、何らかの充填材を用いて隙間Ｓを埋める特別の調整作業を必要としない。装着も容易となるし、断熱性の保証も容易である。
【００２０】
当然であるが、アルミシート３１、３２を展開して、垂木や柱との間に生じた隙間を遮蔽すれば、断熱効果は確実に向上する。従って、かかる構造の断熱パネルを、直射日光の影響が厳しい条件下、例えば屋根の断熱材として使用すれば、陽光の遠赤外線や紫外線の影響を屋内に対して遮断し、屋内冷房の空調効果を最大限に引き出すことが出来る。紫外線の影響も遮断できるので、発泡樹脂板１１、１２の劣化も少なく、屋内にいる人体への影響も遮断して心地よい居住環境を実現する。また、冬季のように屋内で暖房を用いる場合も、屋内の暖気と屋外の冷気を遮断する性能が高まるため、屋内の暖房効率を高め、暖房空調用の電気料金あるいは灯油料金を確実に低減させることが出来る。
【００２１】
発泡樹脂板１１、１２の内部に挟み込むエア緩衝材３０は、例えば包装用に用いる安価なもの、すなわち肉薄樹脂シートに設けたエンボス（凹凸）に空気を封入したものを用いることが出来る。加圧密着により挟み込んだときは、エア緩衝材３０の肉厚は、発泡樹脂板１１、１２が生ずる凹みに吸収されて殆ど影響をみせない。発泡樹脂板１１、１２に予めエア緩衝材３０をはめ込む凹部を形成しておいてもよい。
【００２２】
アルミシート２１、２２、３１、３２は、圧延したアルミ箔のシートを単体で用いても良いし、強度を増すため、圧延したアルミ箔のシートに肉薄の補強シートを配したものを用いてもよい。発泡樹脂板１１、１２は、公知の各種材料で成形できる。
【００２３】
本発明に係る断熱パネルは、前記実施形態のものに限定されない。例えば、発泡樹脂板は一枚板でもよいから、必ずしも積層構造とする必要はない。
【００２４】
発泡樹脂板の表面と裏面に配するアルミシート（２１、２２）、および発泡樹脂板の内側に配するアルミシート（３１、３２）は、発泡樹脂板の外側に突出可能な大きさをもっていればよい。補助代（４０）は、発泡樹脂板１１、１２の例えば左右端縁から３〜５ｃｍの余裕をもって外方に展開できる寸法を予定すれば十分である。好ましくは展開可能に折り畳んでおくことが望ましい。折り畳みの数は、例えば２〜３回である。
【００２５】
本発明に係る断熱パネルは、前記説明のものに限定されない。例えば、発泡樹脂板は一枚板で使用しても良いし、積層する場合でも積層枚数は二枚に限定されず、三枚以上であっても良い。また積層箇所のすべてにアルミシートを配する必要ない。アルミシートを設けない積層部にはエア緩衝材だけを配しても良いからである。また積層部にアルミシートを配する場合でも、それらのアルミシートが補助代（外方に突出可能な余裕領域）をもっている必要はない。
【００２６】
またエア緩衝材まわりにおける遠赤外線の遮断効果を高めるため、エア緩衝材の表裏にアルミニウム層を設ける場合でも、アルミシートの利用（例えば貼着）に限らず、エア緩衝材の表裏にアルミニウムを蒸着しても良い。コストは嵩むが熱の遮断性能には遜色がないからである。
【図面の簡単な説明】
【００２７】
【図１】実施形態に係る断熱パネルの構造を例示する図である。
【図２】実施形態に係る断熱パネルの装着例を示す図である。
【符号の説明】
【００２８】
１０  断熱パネル
１１、１２  発泡樹脂板
２１、２２、３１、３２  アルミシート
２８  垂木
３０  エア緩衝材
４０  （アルミシートの）補助代
【図１】
2007107238.tif 000003
【図２】
2007107238.tif 000004